(57)【要約】【課題】衣類又は衣類に取り付けられる装飾具からの落下を防止することが可能なゴルフ用マーカーの保持構造及びゴルフ用マーカーを提供する。【解決手段】衣類又は衣類に取り付けられる装飾具にゴルフ用マーカーを保持させるための構造であって、衣類又は装飾具に取り付けられ、雄型又は雌型の第１のスナップボタンと、ゴルフ用マーカーに取り付けられ、第１のスナップボタンと嵌合する雌型又は雄型の第２のスナップボタンと、を備える保持構造。【選択図】図１
0003170810.tif 000002
【実用新案登録請求の範囲】
【請求項１】
衣類又は衣類に取り付けられる装飾具にゴルフ用マーカーを保持させるための構造であって、
前記衣類又は装飾具に取り付けられ、雄型又は雌型の第１のスナップボタンと、
前記ゴルフ用マーカーに取り付けられ、前記第１のスナップボタンと嵌合する雌型又は雄型の第２のスナップボタンと、
を備える保持構造。
【請求項２】
前記第１のスナップボタンは、非磁性材料で構成されている、請求項１に記載の保持構造。
【請求項３】
雄型又は雌型の第１のスナップボタンが設けられた衣類又は衣類に取り付けられる装飾具に保持されるゴルフ用マーカーであって、
マーカー本体と、
前記マーカー本体に取り付けられ、前記第１のスナップボタンと嵌合する雌型又は雄型の第２のスナップボタンと、
を備えるゴルフ用マーカー。
【考案の詳細な説明】
【技術分野】
【０００１】
本考案は、ゴルフ用マーカーを衣類又は衣類に取り付けられる装飾具に保持させるための構造及びゴルフ用マーカーに関するものである。
【背景技術】
【０００２】
従来、ゴルフのプレーに際しては、グリーン上のゴルフボールの位置をマークするためにマーカーが使用されている。このマーカーは、一般的に、磁力によってクリップ式のマーカー保持具に吸着するよう構成されており、各プレーヤーは、マーカーを吸着させたマーカー保持具を帽子の鍔等に取り付けることで、プレー中にマーカーを持ち歩いている（例えば、特許文献１参照）。
【先行技術文献】
【特許文献】
【０００３】
【特許文献１】特開２００６−１８７３５４号公報
【考案の概要】
【考案が解決しようとする課題】
【０００４】
しかしながら、上述したようなマーカーは、磁力のみでマーカー保持具に吸着しているため、プレー中に落下してしまうという問題があった。
【０００５】
そこで、本考案は、衣類又は衣類に取り付けられる装飾具からの落下を防止することが可能なゴルフ用マーカーの保持構造及びゴルフ用マーカーを提供することを課題とする。
【課題を解決するための手段】
【０００６】
本考案は、上記課題を解決するためになされたものであり、衣類又は衣類に取り付けられる装飾具にゴルフ用マーカーを保持させるための構造であって、前記衣類又は装飾具に取り付けられ、雄型又は雌型の第１のスナップボタンと、前記ゴルフ用マーカーに取り付けられ、前記第１のスナップボタンと嵌合する雌型又は雄型の第２のスナップボタンと、を備えている。
【０００７】
上記保持構造は、衣類又は装飾具に取り付けられた第１のスナップボタンとマーカーに取り付けられた第２のスナップボタンとが嵌合するよう構成されているため、マーカーを衣類又は装飾具に確実に保持させることができる。これにより、ゴルフのプレー中にマーカーが衣類又は装飾具から落下するのを防止することができる。また、第１のスナップボタンが衣類に取り付けられている場合、マーカーを衣類に直接保持させることができるため、マーカーを保持するための保持具を別途準備する必要がなく、軽量化及び低コスト化を図ることができ、第１のスナップボタンが装飾具に取り付けられている場合は、衣類に対する装飾具の取り付け位置を変更することにより、マーカーを様々な位置で保持させることができる。
【０００８】
また、上記保持構造において、第１のスナップボタンは、非磁性体材料で構成されていてもよい。この構成によれば、第１のスナップボタンが検針機に反応するのを防止することができる。
【０００９】
また、本考案は、雄型又は雌型の第１のスナップボタンが設けられた衣類又は衣類に取り付けられる装飾具に保持されるゴルフ用マーカーであって、マーカー本体と、前記マーカー本体に取り付けられ、前記第１のスナップボタンと嵌合する雌型又は雄型の第２のスナップボタンと、を備えている。
【００１０】
上記マーカーは、衣類又は装飾具に取り付けられた第１のスナップボタンとマーカー本体に取り付けられた第２のスナップボタンとが嵌合することで、マーカーを衣類又は装飾具に確実に保持させることができる。このため、マーカーが衣類又は装飾具から落下するのを防止することができる。
【考案の効果】
【００１１】
本考案によれば、衣類又は衣類に取り付けられる装飾具からゴルフ用マーカーが落下するのを防止することができる。
【図面の簡単な説明】
【００１２】
【図１】本考案の第１実施形態に係る保持構造の使用状態を示す図である。
【図２】本考案の第１及び第２実施形態に係る保持構造の部分斜視図である。
【図３】上記第１実施形態の変形例に係る保持構造の使用状態を示す正面図である。
【図４】本考案の第２実施形態に係る保持構造の使用状態を示す図である。
【考案を実施するための形態】
【００１３】
（第１実施形態）
以下、本考案に係るゴルフ用マーカー及びその保持構造の第１実施形態について図面を参照しつつ説明する。
【００１４】
第１実施形態に係るゴルフ用マーカーの保持構造１は、図１及び図２に示すように、シャツ（衣類）２に取り付けられた雄型の第１のスナップボタン３と、ゴルフ用マーカー４に取り付けられた雌型の第２のスナップボタン５と、を備えている。
【００１５】
第１のスナップボタン３は、図１（ｂ）及び図２に示すように、シャツ２の前立て部分２１に取り付けられ、後述する第２のスナップボタン５の凹部５１に嵌合する凸部３１を有している。この凸部３１は、頭部３１１、及び頭部３１１よりも径の小さい柱部３１２から構成されている。第１のスナップボタン３は、特に限定されるものではないが、検針機に反応しないよう非磁性材料で構成されていることが好ましく、例えば、銅、ニッケル色に近く検針対応の金属、ブラックニッケルの順でメッキが施されている。
【００１６】
第２のスナップボタン５は、図２に示すように、ゴルフ用マーカー４におけるマーカー本体４１の裏面４１１に取り付けられ、凹部５１が形成されている。この凹部５１には、第１のスナップボタン３の凸部３１が嵌合した際に抜けるのを防止するための抜け止めピン５２が設けられている。なお、マーカー４の材質としては、特に限定されるものではないが、例えば、プラスチックや、金属、樹脂等を挙げることができる。
【００１７】
このように構成された保持構造１によってマーカー４をシャツ２に保持させる場合、マーカー４の第２のスナップボタン５をシャツ２の第１のスナップボタン３に対向させ、第２のスナップボタン５の凹部５１を第１のスナップボタン３の凸部３１に押し付ける（図２）。これにより、第１のスナップボタン３の頭部３１１が第２のスナップボタン５の凹部５１の奥へと入り込んで抜け止めピン５２によって抑えられ、シャツ２の第１のスナップボタン３とマーカー４の第２のスナップボタン５とが嵌合する（図１（ａ）及び図２）。
【００１８】
以上のように、上記第１実施形態においては、シャツ２の第１のスナップボタン３とマーカー４の第２のスナップボタン５とが嵌合することにより、マーカー４がシャツ２に確実に保持されるため、マーカー４がシャツ２から落下するのを防止することができる。また、マーカー４はシャツ２に直接取り付けることができるため、マーカー４を保持するための保持具を別途準備する必要がなく、軽量化及び低コスト化を図ることもできる。
【００１９】
なお、上記第１実施形態では、第１のスナップボタン３は、シャツ２の前立て部分２１に取り付けられていたが、前立て部分２１以外の場所に取り付けられていてもよい。また、例えば、ズボンや帽子、グローブ、靴といったシャツ以外の衣類の適当な位置に第１のスナップボタン３を取り付けることもでき、図３に示すように、各種衣類に設けられるファスナー６の引き手部分６１にも第１のスナップボタン３を取り付けることができる。
【００２０】
（第２実施形態）
以下、本考案に係るゴルフ用マーカーの保持構造の第２実施形態について図面を参照しつつ説明する。なお、第１実施形態と同様の構成については、第１実施形態と同様の符号を付して説明を省略する。
【００２１】
第２実施形態に係るゴルフ用マーカーの保持構造１０は、第１のスナップボタン３がワッペン（装飾具）２０に取り付けられていること以外は上記第１実施形態と同様の構成である。すなわち、この保持構造１０は、図４及び図２に示すように、ワッペン２０に取り付けられた雄型の第１のスナップボタン３と、マーカー４に取り付けられた雌型の第２のスナップボタン５と、を備えている。
【００２２】
この保持構造１０によってマーカー４をワッペン２０に保持させる場合、まず、ワッペン２０を衣類の適当な位置に取り付けておく。そして、上記第１実施形態と同様の方法で、ワッペン２０の第１のスナップボタン３とマーカー４の第２のスナップボタン５とを嵌合させる（図２及び図４）。
【００２３】
以上のように、上記第２実施形態においても、ワッペン２０の第１のスナップボタン３とマーカー４の第２のスナップボタン５とが嵌合するため、マーカー４がワッペン２０から落下するのを防止することができる。また、上記第２実施形態においては、ワッペン２０を様々な衣類に自由に取り付けることができる。
【００２４】
なお、上記第２実施形態においては、第１のスナップボタン３はワッペン２０に取り付けられていたが、衣類用の装飾具に取り付けられていればよく、この装飾具としては、例えば、ズボンのラベルやファスナー等を挙げることができる。
【００２５】
以上、本考案の実施形態について説明したが、本考案はこれらに限定されるものではなく、本考案の趣旨を逸脱しない限りにおいて種々の変更が可能である。例えば、上記第１及び第２実施形態においては、シャツ（衣類）２又はワッペン（装飾具）２０に取り付けられた第１のスナップボタン３が雄型であり、マーカー４に取り付けられた第２のスナップボタン５が雌型であったが、第１のスナップボタンを雌型とし、第２のスナップボタンを雄型とすることもできる。
【００２６】
また、上記第１及び第２実施形態においては、マーカー本体４１は円形に形成されていたがこれに限定されず、例えば、正方形やひし形、星形等、種々の形状とすることができる。
【符号の説明】
【００２７】
１，１０      保持構造
２            シャツ（衣類）
２０          ワッペン（装飾具）
３            第１のスナップボタン
３１          凸部
４            マーカー
４１          マーカー本体
５            第２のスナップボタン
５１          凹部
【図１】
0003170810.tif 000003
【図２】
0003170810.tif 000004
【図３】
0003170810.tif 000005
【図４】
0003170810.tif 000006